(57)【特許請求の範囲】
【請求項１】
建築物の外周に位置する柱が建築物の主な外周面よりも外側に突出している形式の鉄筋コンクリート造又は鉄骨鉄筋コンクリート造の既存建築物の外側に、既存建築物の外周の既存柱及び既存梁に対応する補強柱及び補強梁からなる鋼製の剛性や耐力の高い補強フレームを、その補強柱及び補強梁を既存柱及び既存梁に接近させて構築し、補強フレームの補強柱及び補強梁に対応させて既存柱及び既存梁に多数のアンカーを植設し、補強柱を前記アンカーを用いて既存柱に結合し、かつ補強梁を前記アンカーを用いて既存梁に結合する既存建築物の耐震補強方法において、補強柱をその少なくとも既存柱側の上下方向の両側にフランジのある鋼材で構成し、そのフランジ間の寸法を既存柱の幅に概略一致するようにして、補強柱の前記フランジ間に既存柱の外側に突出した部分を位置させることを特徴とする既存建築物の耐震補強方法。
【請求項２】
補強フレームの補強柱の既存柱側のフランジとウェブとで囲まれる空間内の補強梁取付部に対応又は略対応する個所にそれぞれ水平にスチフナーを設け、既存柱の前記スチフナーに対応する部分にそれぞれ水平方向に延びる横溝孔を穿設し、補強柱の前記スチフナーを既存柱の前記横溝孔内に嵌入させることを特徴とする請求項１記載の既存建築物の耐震補強方法。
【請求項３】
建築物の外周に位置する柱が建築物の主な外周面から突出していない形式の鉄筋コンクリート造又は鉄骨鉄筋コンクリート造の既存建築物の外側に、既存建築物の外周の既存柱及び既存梁に対応する補強柱及び補強梁からなる鋼製の剛性や耐力の高い補強フレームを、その補強柱及び補強梁を既存柱及び既存梁に接近させて構築し、補強フレームの補強柱及び補強梁に対応させて既存柱及び既存梁に多数のアンカーを植設し、補強柱を前記アンカーを用いて既存柱に結合し、かつ補強梁を前記アンカーを用いて既存梁に結合する既存建築物の耐震補強方法において、補強柱をその少なくとも既存柱側の上下方向の両側にフランジのある鋼材で構成し、そのフランジ間の寸法を既存柱の幅に略一致するようにし、既存建築物の外周面の既存柱に対応する位置に補強柱の各フランジに対応する位置に上下方向に延びる縦溝孔を穿設し、補強柱の前記フランジを既存柱の前記縦溝孔に嵌入させることを特徴とする既存建築物の耐震補強方法。
【請求項４】
補強フレームの補強柱の既存柱側のフランジとウェブとで囲まれる空間内の補強梁取付部に対応又は略対応する個所にそれぞれ水平にスチフナーを設け、既存建築物の外周面の既存柱に対応する部分の補強柱の前記スチフナーに対応する個所にそれぞれ水平方向に延びる横溝孔を穿設し、補強柱の前記スチフナーを既存柱の前記横溝孔内に嵌入させることを特徴とする請求項３記載の既存建築物の耐震補強方法。
【請求項５】
建築物の外周に位置する柱が建築物の主な外周面よりも外側に突出している形式の鉄筋コンクリート造又は鉄骨鉄筋コンクリート造の既存建築物の外側に、既存建築物の外周の既存柱及び既存梁に対応する補強柱及び補強梁からなる鋼製の剛性や耐力の高い補強フレームを、その補強柱及び補強梁を既存柱及び既存梁に接近させて構築し、補強フレームの補強柱及び補強梁に対応させて既存柱及び既存梁に多数のアンカーを植設し、補強柱を前記アンカーを用いて既存柱に結合し、かつ補強梁を前記アンカーを用いて既存梁に結合する既存建築物の耐震補強方法において、その補強梁を上弦主材、下弦主材及びラチス材を具えてなる立体トラスで構成し、その成を既存建物の開口部を狭めない範囲内で大きくし、補強梁の少なくとも既存梁側の上弦主材及び下弦主材を既存梁に植設した前記アンカーを使って既存梁に結合することを特徴とする既存建築物の耐震補強方法。
【請求項６】
建築物の外周に位置する柱が建築物の主な外周面よりも外側に突出している形式の鉄筋コンクリート造又は鉄骨鉄筋コンクリート造の既存建築物の外側に、既存建築物の外周の既存柱及び既存梁に対応する補強柱及び補強梁からなる鋼製の剛性や耐力の高い補強フレームを、その補強柱及び補強梁を既存柱及び既存梁に接近させて構築し、補強フレームの補強柱及び補強梁に対応させて既存柱及び既存梁に多数のアンカーを植設し、補強柱を前記アンカーを用いて既存柱に結合し、かつ補強梁を前記アンカーを用いて既存梁に結合する既存建築物の耐震補強方法において、その補強梁を、上弦主材、下弦主材及びラチス材からなる外側梁部材と、上弦主材、下弦主材及びラチス材からなる内側梁部材とを、外側梁部材及び内側梁部材の上弦主材間及び下弦主材間を斜材で連結してなる立体トラスで構成し、又は上弦主材、下弦主材及びラチス材からなる主梁部材の上弦主材及び下弦主材に多数の斜材を介して内上弦材及び内下弦材を連結してなる立体トラスで構成し、補強フレームを補強梁の外側梁部材又は主梁部材の上弦主材及び下弦主材を補強柱に接合して構成し、少なくとも補強梁の内側梁部材の上弦主材及び下弦主材又は主梁部材に連結した内上弦材及び内下弦材を既存梁に植設したアンカーを用いて既存梁に結合することを特徴とする既存建築物の耐震補強方法。
【請求項７】
建築物の外周に位置する柱が建築物の主な外周面から突出していない形式の鉄筋コンクリート造又は鉄骨鉄筋コンクリート造の既存建築物の外側に、既存建築物の外周の既存柱及び既存梁に対応する補強柱及び補強梁からなる鋼製の剛性や耐力の高い補強フレームを、その補強柱及び補強梁を既存柱及び既存梁に接近させて構築し、補強フレームの補強柱及び補強梁に対応させて既存柱及び既存梁に多数のアンカーを植設し、補強柱を前記アンカーを用いて既存柱に結合し、かつ補強梁を前記アンカーを用いて既存梁に結合する既存建築物の耐震補強方法において、その補強梁を上弦主材と下弦主材とをラチス材で接合してなる平面トラスで構成し、その成を既存建物の開口部を狭めない範囲内で大きくし、補強梁の少なくとも上弦主材及び下弦主材を既存梁に植設した前記アンカーを使って既存梁に結合することを特徴とする既存建築物の耐震補強方法。
【請求項８】
補強梁の上弦主材及び下弦主材のフランジ幅を補強柱のフランジ幅よりも小さくし、補強梁の上弦主材及び下弦主材の外側面と補強柱の外側面とが面一になるように補強梁の上弦主材及び下弦主材を補強柱に接合し、その接合部の近傍の補強梁の上弦主材及び下弦主材の既存梁側の部分と補強柱との間に水平方向に延びる補強スチフナーを設け、既存柱よりの既存梁の外側面の前記補強スチフナーに対応する個所にそれぞれ水平方向に延びる横溝孔を穿設し、前記補強スチフナーを前記横溝孔内に嵌入させることを特徴とする請求項７記載の既存建築物の耐震補強方法。
【請求項９】
補強フレームの補強梁のトラスの既存梁に面する上弦主材及び下弦主材又は内上弦材及び内下弦材を、その鉛直方向のウェブの一方の側の上縁及び下縁、或いは上縁又は下縁に水平方向に向けてフランジが接合されている鋼材で構成し、それらのウェブのフランジが接合されていない側の面が既存梁の外側面に接近するように配置することを特徴とする請求項６又は７記載の既存建築物の耐震補強方法。
【発明の詳細な説明】
【０００１】
【発明の属する技術分野】
この発明は、既存建築物の耐震補強方法、特に、外側に構築した補強フレームを既存建築物に接合してこれを補強する耐震補強方法に関する。
【０００２】
【従来の技術】
既存建築物の耐震補強方法には、例えば、次の▲１▼〜▲４▼のようなものがある。
▲１▼ 既存建築物の鉄筋コンクリート造の柱の外側に、その長手方向に延在させて配された複数の添え筋と該添え筋の外側にその長手方向に間隔をおいて配された複数のフープ筋とからなる補強鉄筋を配置し、この補強鉄筋の外側に型枠を配置し、型枠の内側面と柱の外側面との間の隙間をモルタル又はコンクリートで埋め、モルタル又はコンクリートの硬化後に型枠を外す方法。
▲２▼ 既存建築物の鉄筋コンクリート造の柱の外側を、鉄板等からなる補強用部材で覆い、この補強用部材の内側面と柱の外側面との間の隙間をモルタル又はコンクリートで埋める方法。
▲３▼ 既存鉄筋コンクリート造等の建築物の架構の柱及び梁に間隔をおいて多数のアンカー用鉄棒を植設し、前記架構の内側に金属枠体を配し、該金属枠体をアンカー用鉄棒を介して柱及び梁に取付け、前記金属枠体内に金属製のブレース材を配し、このブレース材の両端部等を金属枠体に固着し、ブレース材にて架構を補強する方法。
▲４▼ 既存鉄筋コンクリート造等の建築物の架構の柱及び梁に間隔をおいて多数のアンカー用鉄筋を植設し、前記架構内に縦鉄筋と横鉄筋とからなる壁鉄筋を配し、この壁鉄筋をアンカー用鉄筋を介して柱及び梁に取付け、壁鉄筋の周囲に割裂防止筋を配し、壁鉄筋及び割裂防止筋の両側に型枠を配し、型枠間の隙間をモルタル又はコンクリートで埋め、モルタル又はコンクリートの硬化後に型枠を外し、耐震壁を構築する方法。
【０００３】
【発明が解決しようとする課題】
前記▲１▼及び▲２▼の耐震補強方法は、柱や梁の部材の断面を増大させて、それらを強化させ、それらの剪断耐力を増加させるものであり、部材の剪断耐力は増大するが、架構の曲げ耐力が増加しないため、建築物のトータルの強度の大幅な上昇は見込めないことが多い。
前記▲３▼のブレースを新設する耐震補強方法及び前記▲４▼の耐震壁を新設する耐震補強方法は、剪断耐力の大幅な上昇が見込め、基準値を満足させるのに有効な方法である。しかし、ブレース又は耐震壁（めくら壁）を新設することが、従来の建物動線を致命的に遮断する場合が多く、その建築物の部屋の使い勝手を悪くしてしまうという欠点がある。
また、多量のコンクリートを使う耐震補強方法は、建築物自体の重量の上昇を招き、逆に建築物の耐震性を低下させることになる恐れがある。
この発明の解決しようとする課題は、前記▲１▼〜▲４▼のような従来技術が有している欠点を有しない既存建築物の耐震補強方法を提供すること、換言すると、既存建築物の外側に補強フレームを設けることにより（既存建築物の内部にブレースや耐震壁を設けることなく）、その使い勝手を損ねることなく、その剪断耐力を大幅に上昇させ得る既存建築物の耐震補強方法を提供することにある。
【０００４】
【課題を解決するための手段】
この発明は、前記課題を解決するために、次の構成を採用するものである。
この発明の既存建築物の耐震補強方法は、建築物の外周に位置する柱が建築物の主な外周面よりも外側に突出している形式の鉄筋コンクリート造又は鉄骨鉄筋コンクリート造の既存建築物の外側に、既存建築物の外周の既存柱及び既存梁に対応する補強柱及び補強梁からなる鋼製の剛性や耐力の高い補強フレームを、その補強柱及び補強梁を既存柱及び既存梁に接近させて構築し、補強フレームの補強柱及び補強梁に対応させて既存柱及び既存梁に多数のアンカーを植設し、補強柱を前記アンカーを用いて既存柱に結合し、かつ補強梁を前記アンカーを用いて既存梁に結合する既存建築物の耐震補強方法において、補強柱をその少なくとも既存柱側の上下方向の両側にフランジのある鋼材で構成し、そのフランジ間の寸法を既存柱の幅に略一致するようにして、補強柱の前記フランジ間に既存柱の外側に突出した部分を位置させることを特徴とするものである。
【０００５】
この発明を建築物の外周に位置する柱が建築物の主な外周面よりも外側に突出している形式の既存建築物に適用する場合の好適な実施形態にあっては、例えば、次の（Ａ）〜（Ｃ）ようにする。
（Ａ）補強柱の既存柱側のフランジとウェブとで囲まれる空間内の補強梁取付部に対応又は略対応する個所にそれぞれ水平にスチフナを設け、既存柱の前記スチフナーに対応する部分にそれぞれ水平方向に延びる横溝孔を穿設し、補強柱の前記スチフナーを既存柱の横溝孔内に嵌入させるようにする。
（Ｂ）補強梁を上弦主材、下弦主材及びラチス材を具えてなる立体トラスで構成し、その成を既存建物の開口部を狭めない範囲内で大きくし、補強梁の少なくとも既存梁側の上弦主材及び下弦主材を既存梁に植設したアンカーを用いて既存梁に結合するようにする。
（Ｃ）上記立体トラスからなる補強梁を、例えば、上弦主材、下弦主材及びラチス材からなる外側梁部材と、上弦主材、下弦主材及びラチス材からなる内側梁部材とを、外側梁部材及び内側梁部材の上弦主材間及び下弦主材間を斜材で連結して構成し、又は上弦主材、下弦主材及びラチス材からなる主梁部材の上弦主材及び下弦主材に多数の斜材を介して内上弦材及び内下弦材を連結して構成し、補強フレームを補強梁の外側梁部材又は主梁部材の上弦主材及び下弦主材を補強柱に接合して構成し、少なくとも補強梁の内側梁部材の上弦主材及び下弦主材又は主梁部材に連結した内上弦材及び内下弦材を既存梁に植設したアンカーを用いて既存梁に結合するようにする。
【０００６】
また、この発明の既存建築物の耐震補強方法は、建築物の外周に位置する柱が建築物の主な外周面から突出していない形式の鉄筋コンクリート造又は鉄骨鉄筋コンクリート造の既存建築物の外側に、既存建築物の外周の既存柱及び既存梁に対応する補強柱及び補強梁からなる鋼製の剛性や耐力の高い補強フレームを、その補強柱及び補強梁を既存柱及び既存梁に接近させて構築し、補強フレームの補強柱及び補強梁に対応させて既存柱及び既存梁に多数のアンカーを植設し、補強柱を前記アンカーを用いて既存柱に結合し、かつ補強梁を前記アンカーを用いて既存梁に結合する既存建築物の耐震補強方法において、補強柱をその少なくとも既存柱側の上下方向の両側にフランジのある鋼材で構成し、そのフランジ間の寸法を既存柱の幅に略一致するようにし、既存建築物の外周面の既存柱に対応する位置に補強柱の各フランジに対応する位置に上下方向に延びる縦溝孔を穿設し、補強柱の前記フランジを既存柱の前記縦溝孔に嵌入させることを特徴とするものである。
この発明を建築物の外周に位置する柱が建築物の主な外周面から突出していない形式の既存建築物に適用する場合の好適な実施形態にあっては、例えば、次の（Ｄ）〜（Ｆ）ようにする。
（Ｄ）補強柱の既存柱側のフランジとウェブとで囲まれる空間内の補強梁取付部に対応又は略対応する個所にそれぞれ水平にスチフナーを設け、既存建築物の外周面の既存柱に対応する位置に補強柱の前記スチフナーに対応させてそれぞれ水平方向に延びる横溝孔を穿設し、補強柱の前記スチフナーを既存柱の前記横溝孔に嵌入させるようにする。
（Ｅ）上弦主材と下弦主材とをラチス材で接合してなる平面トラスで補強梁を構成し、その成を既存建物の開口部を狭めない範囲内で大きくし、補強梁の上弦主材及び下弦主材を既存梁に植設したアンカーを用いて既存梁に結合するようにする。
（Ｆ）補強梁の上弦主材及び下弦主材のフランジ幅を補強柱のフランジ幅よりも小さくし、補強梁の上弦主材及び下弦主材の外側面と補強柱の外側面とが面一になるように補強梁の上弦主材及び下弦主材を補強柱に接合し、補強梁と補強柱との接合部の近傍の補強梁の上弦主材及び下弦主材の既存梁側の部分と補強柱との間に水平方向に延びる補強スチフナーを設けてその接合部を補強し、既存柱よりの既存梁の外周面の前記補強スチフナーに対応する位置にそれぞれ水平方向に延びる横溝孔を穿設し、この横溝孔に補強スチフナーを嵌入させるようにする。
【０００７】
補強フレームの補強梁のトラスの既存梁に面する上弦主材及び下弦主材又は内上弦材及び内下弦材は、その鉛直方向のウェブの一方の側の上縁及び下縁、或いは上縁又は下縁に水平方向に向けてフランジが接合されている鋼材で構成し、それらのウェブのフランジが接合されていない側の面が既存梁の外側面に接近するように配置する。
前記（Ａ）のスチフナーとしては、例えば、三角リブ状のもの、又は両端に三角リブ状の部分のある略凹字形のものを用い、前記（Ｄ）のスチフナーとしては、両端に三角リブ状の部分のある略凹字形のものを用いて、補強柱を補強しかつ既存柱及び既存梁から補強柱及び補強梁の上弦主材及び下弦主材への応力の伝達を容易にする。
補強フレームの補強梁としては、建て方時の手間、運搬等を考慮して、立体トラス又は平面トラスからなるものを用いる。トラスはその成を上げてもそれほど鉄骨量が増大しないし、形状的にデザインに使い易いという長所がある。補強梁の成は既存建築物の外部開口に合わせて調節するが、既存建物の耐力をより大きくしたいときはできるだけその成を大きくすることが望ましい。そのため、補強梁の成は既存建物の開口部を狭めない範囲内で大きくするのがよい。
補強フレームの立体トラスからなる補強梁の外側梁部材又は主梁部材の上弦主材及び下弦主材から多数の斜材等を、水平レベルで既存梁方向に出して、既存梁側にある内側梁部材の上弦主材及び下弦主材又は主梁部材の内上弦材及び内下弦材を構成する山形鋼（アングル）又は溝形鋼に接合し、該山形鋼又は溝形鋼のウェブ部分を既存梁に植設した多数のアンカーを用いて既存梁に結合する。
【０００８】
この発明における考え方は、基本的には補強フレームの補強柱には、長期軸力を負担させないが、架構位置により地震時に軸力を負担することになる補強柱もある。地震時の水平力は既存梁からアンカーによりこれに接合された山形鋼又は溝形鋼に、斜材等を介して補強梁のトラスに伝達される形となる。
補強フレームは既存建築物と分離させ、最終的に累加させて、補強設計する。架構形式、鋼材の質、強度、断面を変化させることによりトータルの崩壊メカニズムの調整が可能になる。
補強フレームに地震時の初期のエネルギーを集中させ、その補強柱の曲げ又はせん断破壊を先行させて、曲げ又はせん断破壊した部材のみを取替えることも、補強フレームを既存建築物の外側に設けることから可能である。
この発明は、既存建築物の外側に剛性や耐力の高い補強フレームを建築するため、既存建築物の外側に補強フレームを構築し得る充分な空間がある場合に特に有効な耐震補強方法である。
【０００９】
【作用】
この出願の発明は、既存建築物の外側に、その外周の既存柱及び既存梁に対応する補強柱及び補強梁からなる鋼製の剛性や耐力の高い補強フレームを、その補強柱及び補強梁を既存柱及び既存梁に接近させて構築し、補強フレームの補強柱及び補強梁に対応させて既存柱及び既存梁に多数のアンカーを植設し、補強柱を前記アンカーを用いて既存柱に結合し、かつ補強梁を前記アンカーを用いて既存梁に結合するから、アンカー設置箇所が横座屈補剛となり、補強フレームの耐震性を増大させることができる。そのうえ、既存建築物の外側から耐震補強のための工事を行なうことができ、既存建築物の内部に手を加える必要がなく、その部屋を使用しながら、既存建築物の補強工事を行うこともできる。
【００１０】
【実施例】
実施例１は、図１〜図４に示され、この出願の発明を平面視で周囲の柱が外側に突出している形式の鉄筋コンクリート造の既存建築物の耐震補強に適用した例である。
図４に示す既存建築物１は、鉄筋コンクリート造で多層に建築され、その周囲に構築された多数（その１本が図示されている）の柱２は、平面視で、それらの柱２間に構築された多数の梁３の外側面を含む平面よりも外側に一定幅Ｗだけ突出させて構築されている。
図４に示すように、鉄筋コンクリート造の柱２（既存柱２という）は、その４隅部等にその長手方向に延在させて複数本の主筋２ａが埋め込まれ、かつ各主筋２ａの外側にその長手方向に間隔をおいて多数本の帯筋２ｂが埋め込まれ、主筋２ａ及び帯筋２ｂによりコンクリート２ｃが補強されている。また、鉄筋コンクリート造の梁３（既存梁３という）も、その４隅部等にその長手方向に延在させて複数本の主筋３ａが埋め込まれ、かつ各主筋３ａの外側にその長手方向に間隔をおいて多数本の肋筋３ｂが埋め込まれ、主筋３ａ及び肋筋３ｂによりコンクリート３ｃが補強されている。
【００１１】
補強フレーム１０は、鉄骨造で、図１〜図４に示すように、補強柱１１、補強梁１２等で構成されている。
補強柱１１は、鋼製で、ウェブ１１ｂとその両端縁に強固に接合されたフランジ１１ａ，１１ａとで横断面Ｈ型に形成され、そのフランジ１１ａ，１１ａ間の寸法が既存建築物１の既存柱２の幅よりも少々大きくなっている。
補強柱１１の既存柱２側の対のフランジ１１ａ及びウェブ１１ｂにより囲まれる空間内の補強梁１２の上弦主材１２Ａ１及び下弦主材１２Ａ２のフランジ１１ａとの接合部に略対応する位置に、鋼板製のスチフナー１１ｃがそれぞれ設けられ、補強梁１２の上弦主材１２Ａ１及び下弦主材１２Ａ２のフランジとの接合部に対応する反既存柱２側の対のフランジ１１ａ及びウェブ１１ｂにより囲まれる空間内の位置に、鋼板製のスチフナー１１ｄがそれぞれ設けられている。
なお、反既存柱２側の対のフランジ１１ａ及びウェブ１１ｂにより囲まれる空間内の補強梁１２のラチス材１２Ｃの端部との接合部に対応するの位置にも、鋼板製のスチフナー１１ｅがそれぞれ設けられている。
【００１２】
各スチフナー１１ｃは平面視で略三角型になっており、その略三角型は、図１に示すように、ウェブ１１ｂと平行な短い上辺１１ｃ1、ウェブ１１ｂと平行な底辺１１ｃ2、上辺１１ｃ1の一方の端と底辺１１ｃ2の一方端とを結ぶ斜辺１１ｃ3、及び上辺１１ｃ1の他方の端と底辺１１ｃ2の他方の端とを結ぶ底辺１１ｃ2に対して垂直な垂辺１１ｃ4で画成されている。そして、各スチフナー１１ｃの底辺１１ｃ2及び垂辺１１ｃ4は、ウェブ１１ｂ及びフランジ１１ａに溶接等により強固に接合される。
各スチフナー１１ｄ，１１ｅは、平面視が略矩形になっていて、その二つの短辺１１ｄ1及びその一つの長辺１１ｄ2がフランジ１１ａ及びウェブ１１ｂに溶接等により強固に接合される。
補強柱１１のウェブ１１ｂには、上下左右の方向に間隔をおいて多数のボルト孔ｂｈ1が穿設されている。なお、ボルト孔ｂｈ1は、既存建築物１の鉄筋２ａ，２ｂに対応しないような位置に穿設する。
【００１３】
補強梁１２は、図１〜図３に示すように、外側梁部材１２ａ、内側梁部材１２ｂ、及び二つの梁部材１２ａ，１２ｂを一体化する斜材（ラチス材）１２ｃで構成される。
外側梁部材１２ａは、横断面がＨ形の鋼材からなる上弦主材１２ａ１と下弦主材１２ａ２との間に円鋼管（又は山形鋼或は溝形鋼）からなるラチス材１２ａ３をジグザグ状に配し、各ラチス材１２ａ３の両端を上弦主材１２ａ１及び下弦主材１２ａ２に溶接等により強固に接合して形成されている。
内側梁部材１２ｂは、それぞれ横断面がみぞ形（すなわち、［ 形）又は不等辺山形（すなわち、「 形）の鋼材からなる上弦主材１２ｂ１と下弦主材１２ｂ２との間に円鋼管（又は山形鋼或は溝形鋼）からなるラチス材１２ｂ３をジグザグ状に配し、各ラチス材１２ｂ３の両端を上弦主材１２ｂ１及び下弦主材１２ｂ２に溶接等により強固に接合して形成されている。なお、上弦主材１２ｂ１及び下弦主材１２ｂ２は、その鋼材のみぞ形又は不等辺山形の上下方向に延びるウェブ部分のフランジの突出されていない側の面が内側（既存梁側）に位置するように配置され、かつ、その上下方向に延びるウェブ部分に間隔をおいて多数のボルト孔ｂｈ2が穿設される。
外側梁部材１２ａ及び内側梁部材１２ｂを平行に配し、外側梁部材１２ａの上弦主材１２ａ１と内側梁部材１２ｂの上弦主材１２ｂ１との間に鋼板製の斜材１２ｃをジグザグ状に配し、各斜材１２ｃの両端を上弦主材１２ａ１，１２ｂ１に溶接、ボルト接合等の接合手段により強固に接合し、外側梁部材１２ａの下弦主材１２ａ２と内側梁部材１２ｂの下弦主材１２ｂ２との間に鋼板の斜材１２ｃをジグザグ状に配し、各斜材１２ｃの両端を下弦主材１２ａ２，１２ｂ２に溶接、ボルト接合等の接合手段により強固に接合し、補強梁１２を構成する。
【００１４】
補強梁１２の外側梁部材１２ａの上弦主材１２ａ１及び下弦主材１２ａ２の両端を補強柱１１のフランジ１１ａに溶接（又はボルト接合等の接合手段）により強固に接合し、かつ補強梁１２の外側梁部材１２ａの補強柱１１よりの斜材１２ａ３の下端を補強柱１１のフランジ１１ａに溶接（又はボルト接合等の接合手段）により強固に接合し、補強フレーム１０を構成する。
なお、必要に応じて、補強梁１２の上弦主材１２ａ１，１２ｂ１及び下弦主材１２ａ２，１２ｂ２のフランジ及びウェブにより囲まれる空間内の各ラチス材１２ａ３，１２ｂ３との接合部に対応する位置には、各主材の長手方向に対して直角に又は平行に、鋼板製のスチフナーをそれぞれ設け、それらの部分の上弦主材１２ａ１，１２ｂ１及び下弦主材１２ａ２，１２ｂ２を補強する。
【００１５】
次に、補強フレーム１０を使う既存建築物１の耐震補強方法を説明する。
鉄筋コンクリート造の既存建築物１に補強フレーム１０を取付ける以前に、補強フレーム１０の補強柱１１の各スチフナー１１ｃに対応する既存柱２の外側に突出する角部２ｅに、スチフナー１１ｃに対応する形状の水平の横溝孔２ｆを穿設する。なお、各スチフナー１１ｃは、これに対応する横溝孔２ｆの穿設により主筋２ａ及び帯筋２ｂを傷つけないような位置及び大きさに設計して設ける。
また、補強フレーム１０の補強柱１１のボルト孔ｂｈ1に対応する既存建築物１の既存柱２の各部に、それぞれボルト又はナットの植込孔を穿設し、各植込孔内に樹脂、セメント等の接着材とボルトｂ1又はナットとを挿入し、ボルトｂ1又はナットを前記接着材を介して既存建築物１の既存柱２に植設する。
さらに、補強フレーム１０の補強梁１２の内側梁部材１２ｂの上弦主材１２ｂ１及び下弦主材１２ｂ２のウェブ（鋼材の［ 形又は「 形の上下方向に延びる部分）の各ボルト孔ｂｈ2に対応する既存梁２の各部に、それぞれボルト又はナットの植込孔を穿設し、植込孔内に樹脂、セメント等の接着材とボルトｂ2又はナットを挿入し、ボルトｂ2又はナットを接着材を介して既存梁３に植設する。
なお、補強フレーム１０の補強柱１１の最下端部に対応する既存柱２の下部の基礎部分には、補強柱１１の最下端を支持する補強基礎を既存建築物１の基礎と一体に構築する。
【００１６】
それから、前記補強基礎上に、既存建築物１の各既存柱２に沿わせて、補強フレーム１０の補強柱１１をそれぞれ建て込む。その際には、補強柱１１の各スチフナー１１ｃを既存柱２の横溝２ｆに嵌め、そのボルト孔ｂ1を各既存柱２に植設したボルトｂ1（又はナット）に対応させ、ボルト孔ｂ1に通したボルトｂ1のねじ部にナツトｎをねじ込んで（又はボルト孔にボルトを通して該ボルトを植設ナットにねじ込んで）、補強柱１１を既存柱２に固着する。同様に、既存梁３に沿わせて、補強フレーム１０の補強梁１２をそれぞれ建て込む。その際には、補強梁１２の内側梁部材１２ｂの上弦主材１２ｂ１及び下弦主材１２ｂ２の各ボルト孔ｂｈ2を各既存梁３に植設したボルトｂ2（又はナット）に対応させ、ボルト孔ｂｈ2に通したボルトｂ2のねじ部にナツトをねじ込んで（又はボルト孔にボルトを通して該ボルトを植設ナットにねじ込んで）、補強梁１２を既存梁３に固着する。
既存建築物１の外側に補強フレーム１０を構築し、補強フレーム１０の補強柱１１及び補強梁１２を既存建築物１の既存柱２及び既存梁３に固着する場合は、例えば、補強フレーム１０を多数の構成部分に分けて工場等で製作し、それらの構成部分を工事現場に搬入し、既存建築物１の外側においてその下方から各構成部分を既存建築物１に順次上記のようなやり方で組み付けながら、補強フレーム１０を組み立てかつ既存建築物１に結合するようにする。
【００１７】
実施例１の補強フレーム１０の補強柱１１は、基本的には長期軸力を負担させないようになっているが、これを設ける部分の架構形式により地震時に軸力を負担することになる場合もある。
地震時に、補強フレーム１０にて補強された既存建築物１に水平力が作用すると、その水平力の一部は既存梁３からボルトｂ2等を介して補強フレーム１０の内側梁部材１２ｂの上弦主材１２ｂ１及び下弦主材１２ｂ２に伝えられ、上弦主材１２ｂ１及び下弦主材１２ｂ２に伝えられた水平力は、斜材１２ｃを介して補強フレーム１０の外側梁部材１２ａの上弦主材１２ａ１、下弦主材１２ａ２及びラチス材１２ａ３に伝えられ、また、前記水平力の一部は既存柱２からボルトｂ1、スチフナー１１ｃ等を介して補強フレーム１０の補強柱１１に伝えられる。
補強フレーム１０の補強梁１２の立体トラスは、それ自体が耐震ブレース架構となり、その上弦主材及び下弦主材の最外縁位置が曲げ応力のフエイスと考えることができ、既存建築物自体のせん断応力を向上させ、既存建築物１を耐震補強することになる。
すなわち、図１１に示すように地震時の固有耐力をＱｕ、地震時の補強耐力をＭｕ、補強フレーム１０の補強梁１２間の間隔をＬ1とすると、Ｑｕ＝２Ｍｕ／Ｌ1の関係が成立し、補強梁１２の成を大きくするほど、地震時の固有耐力Ｑｕが大きくなる。
【００１８】
実施例２は、図５〜図７に示され、この発明を周囲の柱が外側に突出している形式の鉄筋コンクリート造の既存建築物の耐震補強に適用した例であり、実施例１と実施例２の相違点は、補強フレーム１０Ａの構成のみである。
補強フレーム１０Ａは、鉄骨造で、補強柱１１Ａ、補強梁１２Ａ等で構成されている。補強柱１１Ａは、鋼製で、ウェブ１１Ａｂとその両端縁に強固に接合された鋼製のフランジ１１Ａａとで横断面がみぞ形（すなわち、［ 型）に形成され、そのフランジ１１Ａａ間の寸法が既存建築物１の既存柱２の幅よりも少々大きくしてある。
補強柱１１Ａのフランジ１１Ａａの自由端側を既存柱２側に向けて、補強柱１１Ａが配置され、補強柱１１Ａの各フランジ１１Ａａ及びウェブ１１Ａｂにより囲まれる空間内の補強梁１２Ａの主梁部材１２Ａａの上弦主材１２Ａａ１及び下弦主材１２Ａａ２のフランジとの接合部に対応する位置に、鋼板製のスチフナー１１Ａｃがそれぞれ設けられている。
なお、補強梁１２Ａの主梁部材１２Ａａの補強柱１１Ａよりのラチス材１２Ａａ３の端部を補強柱１１Ａに接合する場合には、補強柱１１Ａの各フランジ１１Ａａ及びウェブ１１Ａｂにより囲まれる空間内の前記ラチス材１２Ａａ３の端部との接合部に対応する位置に、鋼板製の略矩形のスチフナー１１Ａｅをそれぞれ設ける。
【００１９】
各スチフナー１１Ａｃは平面視で両端に略三角形状の部分がある略凹字形になっており、その略凹字形は、その上側のウェブ１１Ａｂと平行な二つの上辺１１Ａｃ1，１１Ａｃ1、くぼみの底のウェブ１１Ａｂと平行な一つの底辺１１Ａｃ2、上辺１１Ａｃ1，１１Ａｃ1の内側端と底辺１１Ａｃ2の両端とを結ぶ二つの斜辺１１Ａｃ3、フランジ１１Ａａと平行な二つの短い垂辺１１Ａｃ4，１１Ａｃ4、及びウェブ１１Ａｂと平行な一つの長辺１１Ａｃ5で画成されている。各スチフナー１１Ａｃの各垂辺１１Ａｃ4及び長辺１１Ａｃ5がフランジ１１Ａａ及びウェブ１１Ａｂに溶接等により強固に接合される。
なお、各スチフナー１１Ａｅの形状及び補強柱１１Ａへの取付方はスチフナー１１Ａｃのそれと同じである。
【００２０】
補強フレーム１０Ａの補強梁１２Ａの主梁部材１２Ａａは、横断面がＨ形の鋼材からなる上弦主材１２Ａａ１と下弦主材１２Ａａ２との間に山形鋼（又は溝形鋼）からなるラチス材１２Ａａ３をジグザグ状に配し、各ラチス材１２Ａａ３の両端を上弦主材１２Ａａ１及び下弦主材１２Ａａ２に溶接等により強固に接合して形成されている。
図６に示すように、主梁部材１２Ａａの上弦主材１２Ａａ１及び下弦主材１２Ａａ２から略水平に既存梁方向に向けて多数の斜材１２Ａｃを出し、各斜材１２Ａｃの先に内上弦材１２Ａｂ１及び内下弦材１２Ａｂ２を設けて、補強梁１２Ａを構成する。
前記の多数の斜材１２Ａｃは、平面視でジグザグ状に配され、それらの両端が上弦主材１２Ａａ１，下弦主材１２Ａ２，内上弦材１２Ａｂ１及び内下弦材１２Ａｂ２に溶接、ボルト接合等の接合手段により強固に接合されている。
なお、内上弦材１２Ａｂ１及び内下弦材１２Ａｂ２の構成は、実施例１の内側梁部材１２ｂの上弦主材１２ｂ１及び下弦主材１２ｂ２の構成と同じであるから、その説明を省略する。
実施例２においては、図５及び図７に示すように、補強フレーム１０Ａの補強柱１１Ａの各スチフナー１１Ａｃ，１１Ａｅの略凹字形の底辺１１Ａｃ２より上側の略三角形の部分（上辺１１Ａｃ１，垂辺１１Ａｃ４の上側の部分、及び斜辺１１Ａｃ３によって囲まれる部分）を既存柱２の外側に突出した角部に差し込むことができるように、補強柱１１Ａの各スチフナー１１Ａｃ，１１Ａｅに対応する既存柱２の外側に突出した角部にスチフナー１１Ａｃを挿入する横溝孔２ｆを穿設する。その他の点は、実施例１と略同じである。
【００２１】
実施例３は、図８〜図１０に示され、この発明を平面視で周囲の柱が外側に突出していない形式の鉄骨鉄筋コンクリート造の既存建築物の耐震補強に適用した例である。
図１０に示す既存建築物１Ｂは、鉄骨鉄筋コンクリート造で多層に建築され、その周囲に構築された多数の柱２Ｂは、平面視で前記柱２Ｂの外側面と柱２Ｂ間に構築された多数の梁３Ｂの外側面とが略面一になるように構築されている。
図８に示すように、鉄骨鉄筋コンクリート造の柱２Ｂ（既存柱２Ｂという）内に、クロスＨ型の柱鉄骨２Ｂａと、この柱鉄骨２Ｂａの４隅部等に柱鉄骨２Ｂａの長手方向に延在させて配した多数本の主筋２Ｂｂと、柱鉄骨２Ｂａ及び主筋２Ｂａの外側に柱鉄骨２Ｂａの長手方向に間隔をおいて配した多数本の帯筋２Ｂｃとが埋め込まれ、柱鉄骨２Ｂａ、主筋２Ｂｂ及び帯筋２Ｂｃによりコンクリート２Ｂｄが補強されている。また、鉄筋コンクリート造の梁３Ｂ（既存梁３Ｂという）は、その４隅部等に既存梁３Ｂの長手方向に延在させて多数本の主筋３Ｂａが埋め込まれ、かつ各主筋３Ｂａの外側に既存梁３Ｂの長手方向に間隔をおいて多数本の肋筋３Ｂｂが埋め込まれ、主筋３Ｂａ及び肋筋３Ｂｂによりコンクリート３Ｂｃが補強されている。
【００２２】
補強フレーム１０Ｂは、鉄骨造で、補強柱１１Ｂ、補強梁１２Ｂ等で構成されている。
補強柱１１Ｂは、鋼製で、ウェブ１１Ｂｂとその両端縁に溶接等により強固に接合されたフランジ１１Ｂａとで横断面Ｈ形に形成され、そのフランジ１１Ｂａ間の寸法が既存柱２Ｂの幅よりも少々大きくなっている。
補強柱１１Ｂの既存柱２Ｂ側の各フランジ１１Ｂａ及びウェブ１１Ｂｂにより囲まれる空間内の補強梁１２Ｂの上弦主材１２Ｂａ及び下弦主材１２Ｂｂのフランジとの接合部に対応する位置に、鋼板製のスチフナー１１Ｂｃがそれぞれ設けられ、補強梁１２Ｂの上弦主材１２Ｂａ及び下弦主材１２Ｂｂのフランジの接合部に対応する反既存柱２Ｂ側の各フランジ１１Ｂａ及びウェブ１１Ｂｂにより囲まれる空間内の位置に、鋼板製のスチフナー１１Ｂｄがそれぞれ設けられている。なお、補強柱１１Ｂの反既存柱２Ｂ側の各フランジ１１Ｂａ及びウェブ１１Ｂｂにより囲まれる空間内のラチス材１２Ｂｃの端部との接合部に対応する位置にも、鋼板製のスチフナー１１Ｂｅがそれぞれ設けられている。
【００２３】
各スチフナー１１Ｂｃは、図８に示すように、両端に略三角形の部分がある略凹字形になっており、その略凹字形は、くぼみの底のウェブ１１Ｂｂと平行な一つの底辺１１Ｂｃ1、この底辺１１Ｂｃ1の両端から斜め上方に延びる二つの斜辺１１Ｂｃ2、底辺１１Ｂｃ1に対して直角（フランジ１１Ｂａと平行）な左右の二つの垂辺１１Ｂｃ3、及びウェブ１１Ｂｂと平行な長辺１１Ｂｃ4で画成されている。各スチフナー１１Ｂｃの垂辺１１Ｂｃ3及び長辺１１Ｂｃ4がフランジ１１Ｂａ及びウェブ１１Ｂｂに溶接等により強固に接合されている。
各スチフナー１１Ｂｄ，１１Ｂｅは、対の短辺１１Ｂｄ1と対の長辺１１Ｂｄ2からなる略矩形になっていて、対の短辺１１Ｂｄ1及び一つの長辺１１Ｂｄ2がフランジ１１Ｂａ及びウェブ１１Ｂｂに溶接等により強固に接合されている。
補強柱１１Ｂのウェブ１１Ｂｂには、上下左右の方向に間隔をおいて多数のボルト孔ｂｈ1が穿設けられている。
【００２４】
補強梁１２Ｂは、横断面がみぞ形（すなわち、［ 形）又は不等辺山形（すなわち、「 形）の鋼材からなる上弦主材１２Ｂａと下弦主材１２Ｂｂとの間に山形鋼（又は溝形鋼或は鋼管）からなるラチス材１２Ｂｃをジグザグ状に配し、各ラチス材１２Ｂｃの両端を上弦主材１２Ｂａ及び下弦主材１２Ｂｂ（又は補強柱１１Ｂのフランジ１１Ｂａ）に溶接等により強固に接合して形成される。なお、補強梁１２Ｂの上弦主材１２Ｂａ及び下弦主材１２Ｂｂのフランジ幅を補強柱１１Ｂのフランジ幅よりも小さくする。
補強柱１１Ｂの両側のフランジ１１Ｂａの外側に、補強梁１２Ｂの上弦主材１２Ｂａ及び下弦主材１２Ｂｂを、その鋼材の［ 形又は「 形の上下方向に延びるウェブ部分のフランジが突出していない側の面が内側（既存梁３Ｂ側）に位置するように、かつ補強柱１１Ｂ及び補強梁１２Ｂの外側の面が面一になるようにそれぞれ配置し、補強梁１２Ｂの上弦主材１２Ｂａ及び下弦主材１２Ｂｂの端部を補強柱１１Ｂのフランジ１１Ｂａに溶接等により強固に接合して、補強フレーム１０Ｂを形成する。補強梁１２Ｂの上弦主材１２Ｂａ及び下弦主材１２Ｂｂの端部の内側の各スチフナー１１Ｂｃに対応する部分にそれぞれスチフナー１１Ｂｆが設けられている。
各スチフナー１１Ｂｆは、平面視で略台型になっており、その略台型は、ウェブ１１Ｂｂと平行な上辺１１Ｂｆ1、ウェブ１１Ｂｂと平行な底辺１１Ｂｆ2、上辺１１Ｂｆ1の一端と底辺１１Ｂｆ2の一端とを結ぶ斜辺１１Ｂｆ3、及び上辺１１Ｂｆ1の他端と底辺１１Ｂｆ2の他端とを結ぶ底辺１１Ｂｆ2に対して直角な垂辺１１Ｂｆ4で画成されている。
そして、各スチフナー１１Ｂｆの底辺１１Ｂｆ2及び垂辺１１Ｂｆ4は、補強梁１２Ｂの主材１２Ｂａ，１２Ｂｂのウェブ及び補強柱１１Ｂのフランジ１１Ｂａに溶接等により強固に接合されている。
なお、補強梁１２Ｂの上弦主材１２Ｂａ及び下弦主材１２Ｂｂには、その鋼材の［ 形又は「 形の上下方向に延びる部分にその長手方向に間隔をおいて多数のボルト孔が穿設されている。
【００２５】
次に、補強フレーム１０Ｂを使う既存建築物１Ｂの耐震補強方法を説明する。
既存建築物１Ｂに補強フレーム１０Ｂを取付ける以前に、補強フレーム１０Ｂの各スチフナー１１Ｂｃ，１１Ｂｆに対応する既存柱２Ｂの外側及び既存梁２Ｂと既存柱２Ｂとの接合部の近傍の外側に、各スチフナー１１Ｂｃ，１１Ｂｆに対応させて水平に横溝孔２Ｂｅ，２Ｂｆを穿設する。なお、各スチフナー１１Ｂｃ，１１Ｂｆは、これに対応する横溝孔２Ｂｅ，２Ｂｆの穿設により、既存柱２Ｂ及び既存梁３Ｂの主筋２Ｂａ，３Ｂａ、帯筋２Ｂｃ、肋筋３Ｂｂを傷つけないような位置及び大きさにして設ける。
また、補強フレーム１０Ｂの補強柱１１Ｂの各フランジ１１Ｂａに対応する既存柱２Ｂの外側に、各フランジ１１Ｂａに対応させて垂直な縦溝孔２Ｂｇを穿設する。実施例１と同様に、既存柱２Ｂ及び既存梁３Ｂにアンカーとなるボルト（又はナット）を植設する。
なお、補強フレーム１０Ｂの補強柱１１Ｂの下端部に対応する既存柱２Ｂの下部の基礎部分に、補強柱１１Ｂの下端を支持する補強基礎を既存建築物１Ｂの基礎と一体に構築する。
【００２６】
それから、補強柱１１Ｂの下端の補強基礎上に、既存建築物１Ｂに沿わせて、補強フレーム１０Ｂの補強柱１１Ｂ及び補強梁１２Ｂを建て込む。その際、補強柱１１Ｂに付けた各スチフナー１１Ｂｃ，１１Ｂｆを既存柱２Ｂ等に設けた横溝孔２Ｂｅ，２Ｂｆに嵌め、かつ補強柱１１Ｂの各フランジ１１Ｂａの既存柱２Ｂ側の端縁部を各既存柱２Ｂに設けた縦溝孔２Ｂｇに嵌め、そのボルト孔ｂｈ1を各柱２に植設したボルトｂ1に嵌め、各ボルト孔に通したボルトｂ1のねじ部にナツトｎをねじ込んで（又はボルト孔ｂｈ1にボルトｂ1を通しこのボルトのねじ部を植設ナットにねじ込んで）、補強柱１１Ｂを既存柱２Ｂに固着し、同様に、補強梁１２Ｂの上弦主材１２Ｂａ及び下弦主材１２Ｂｂの各ボルト孔を各梁３Ｂに植設したボルトｂ2に嵌め、各ボルト孔に通したボルトｂ2のねじ部にナツトをねじ込んで（又はボルト孔にボルトｂ2を通しそのボルトｂ2のねじ部を植設ナットにねじ込んで）、補強梁１２Ｂを既存梁３Ｂに固着する。
既存建築物１Ｂの外側に補強フレーム１０Ｂを構築し、補強フレーム１０Ｂの補強柱１１Ｂ及び補強梁１２Ｂを既存柱２Ｂ及び既存梁３Ｂに固着する場合は、例えば、補強フレーム１０Ｂを多数の構成部分に分けて工場等で生産し、それらの構成部分を工事現場に搬入し、既存建築物１Ｂの外側においてその下方から各構成部分を順次既存柱２Ｂ及び既存梁３Ｂに組み付けながら、補強フレーム１０を組み立てかつ既存建築物１に結合させるようにする。
【００２７】
【発明の効果】
この発明は、特許請求の範囲の欄に記載した構成を備えることにより、次の（イ）〜（リ）の効果を奏する。
（イ）請求項１記載の発明は、建築物の外周に位置する柱が建築物の主な外周面よりも外側に突出している形式の鉄筋コンクリート造又は鉄骨鉄筋コンクリート造の既存建築物の外側に、既存建築物の外周の既存柱及び既存梁に対応する補強柱及び補強梁からなる鋼製の剛性や耐力の高い補強フレームを、その補強柱及び補強梁を既存柱及び既存梁に接近させて構築し、補強フレームの補強柱及び補強梁に対応させて既存柱及び既存梁に多数のアンカーを植設し、補強柱を前記アンカーを用いて既存柱に結合し、かつ補強梁を前記アンカーを用いて既存梁に結合する既存建築物の耐震補強方法において、補強柱をその少なくとも既存柱側の上下方向の両側にフランジのある鋼材で構成し、そのフランジ間の寸法を既存柱の幅に略一致するようにして、補強柱の前記フランジ間に既存柱の外側に突出した部分を位置させるから、次の（１）〜（５）の効果を奏する。
（１）既存建築物の外側から耐震補強のための工事を行なうことができ、既存建築物の内部に手を加える必要がなく、既存建築物を使用しながら、その使い勝手を損ねることなく、その剪断耐力を大幅に上昇させることができる。
（２）既存建築物の外側に補強フレームが設け、その補強梁の成を高くすることにより、補強フレームの耐力を上げ、この耐力を既存建築物に累加させて、既存建築物の耐震性を増大させる。
（３）既存建築物の内部に手を加えないから、従来の耐震補強方法のように、部屋の使用勝手の阻害、部屋の有効面積の減少、工事中の建築物使用の制限・安全確保の必要性、建築物内の仕上げの撤去・復旧の無駄、産業廃棄物の大量発生及び設備の切り回し工事の問題等は生じない。
（４）既存建築物の外側に、既存建築物の外周の既存柱及び既存梁に対応する補強柱及び補強梁からなる鋼製の剛性や耐力の高い補強フレームを、その補強柱及び補強梁を既存柱及び既存梁に接近させて構築するから、この補強フレームのデザインにより既存建築物の外観の一新が図れるので、リニューアルの効果もあり、工事費の大幅な低減及び工期の大幅な短縮が可能になる。
【００２８】
（５）建築物の外周に位置する柱が建築物の主な外周面よりも外側に突出している形式の鉄筋コンクリート造又は鉄骨鉄筋コンクリート造の既存建築物において、補強フレームの補強柱をその少なくとも既存柱側の上下方向の両側にフランジのある鋼材で構成し、そのフランジ間の寸法を既存柱の幅に略一致するようにして、補強柱の前記フランジ間に既存柱の外側に突出した部分を位置させるから、既存建築物に取付けかつこれに作用する力をその既存柱から補強フレームの補強柱に伝達するために既存柱へ加える加工が最小になり（すなわち、アンカーの植設のみ）、工事費の大幅な低減及び工期の大幅な短縮が可能になる。
（ロ）請求項２記載の既存建築物の耐震補強方法は、補強フレームの補強柱の既存柱側のフランジとウェブとで囲まれる空間内の補強梁取付部に対応又は略対応する個所にそれぞれ水平にスチフナを設け、既存柱の前記スチフナーに対応する部分にそれぞれ水平方向に伸びる横溝孔を穿設し、補強柱の前記スチフナーを既存柱の前記横溝孔内に嵌入させるから、上記の（１）〜（５）の効果の他に、次の（６）の効果を奏する。
（６）補強柱の補強梁取付部に対応又は略対応する部分に水平なスチフナを設けて補強しても、補強柱のウェブを既存建築物の既存柱の外側面に確実に接近させることができ、既存柱に植設したアンカーを用いて補強フレームの補強柱を既存柱に容易にかつ強固に結合することができる。そのうえ、地震時等に既存梁に作用する水平方向及び軸方向の力を、補強梁の水平なラチス材を介して、補強フレームの補強柱に確実に伝達することができる。
【００２９】
（ハ）請求項３記載の既存建築物の耐震補強方法は、建築物の外周に位置する柱が建築物の主な外周面から突出していない形式の鉄筋コンクリート造又は鉄骨鉄筋コンクリート造の既存建築物において、その補強フレームの補強柱をその少なくとも既存柱側の上下方向の両側にフランジのある鋼材で構成し、そのフランジ間の寸法を既存柱の幅に略一致するようにし、既存建築物の外周面の既存柱に対応する個所の補強柱の各フランジに対応する位置に上下方向に延びる縦溝孔を穿設し、補強柱の前記フランジを既存柱の前記縦溝孔内に嵌入させるから、上記の（１）〜（４）の効果の他に、次の（７）の効果を奏する。
（７）既存建築物に取付けこれに作用する力をその既存柱から補強フレームの補強柱に伝達するための既存柱へ加える加工が少なくなり（すなわち、アンカーの植設及び縦溝孔の穿設）、工事費の大幅な低減及び工期の大幅な短縮が可能になる。
（ニ）請求項４記載の既存建築物の耐震補強方法は、補強フレームの補強柱の既存柱側のフランジとウェブとで囲まれる空間内の補強梁取付部に対応又は略対応する個所にそれぞれ水平にスチフナーを設け、既存建築物の外周面の既存柱に対応する位置の補強柱の前記スチフナーに対応する個所にそれぞれ水平方向に延びる横溝孔を穿設し、補強柱の前記スチフナーを既存柱の前記横溝孔内に嵌入させるから、前記の（１）〜（４）及び（７）の効果の他に、次の（８）の効果を奏する。
（８）補強柱の補強梁取付部に対応又は略対応する箇所に水平なスチフナを設けて補強しても、補強柱のウェブを既存建築物の既存柱の外側面に確実に接近させることができ、既存柱に植設したアンカーを用いて補強フレームの補強柱を既存柱に容易にかつ強固に結合することができる。そのうえ、地震時等に既存柱に作用する水平方向及び軸方向の力を、補強柱に設けた水平なスチフナを介して、補強フレームの補強柱に確実に伝達することができる。
【００３０】
（ホ）請求項５記載の既存建築物の耐震補強方法は、建築物の外周に位置する柱が建築物の主な外周面よりも外側に突出している形式の鉄筋コンクリート造又は鉄骨鉄筋コンクリート造の既存建築物の外側に構築する補強フレームの補強梁を、上弦主材、下弦主材及びラチス材を具えてなる立体トラスで構成したから、前記の（１）〜（５）の効果の他に、次の（９）及び（１０）の効果を奏する。
（９）その成を大きくして耐力を増大させても、鉄骨量の増大を抑えることができ、形状的にデザインに使い易いという効果もある。
（１０）その成を既存建物の開口部を狭めない範囲内で大きくし、補強梁の少なくとも既存梁側の上弦主材及び下弦主材を既存梁に植設した多数のアンカーを用いて既存梁に結合するから、既存建築物に作用する力をその既存梁から補強フレームの補強梁に伝達するための既存梁に加える加工が少なくなり（すなわち、アンカーの植設のみ）、工事費の大幅な低減及び工期の大幅な短縮が可能になる。
（ヘ）請求項６記載の既存建築物の耐震補強方法は、その補強梁を、上弦主材、下弦主材及びラチス材からなる外側梁部材と、上弦主材、下弦主材及びラチス材からなる内側梁部材とを、外側梁部材及び内側梁部材の上弦主材間及び下弦主材間を斜材で連結してなる立体トラスで構成し、又は上弦主材、下弦主材及びラチス材からなる主梁部材の上弦主材及び下弦主材に多数の斜材を介して内上弦材及び内下弦材を連結してなる立体トラスで構成し、補強フレームを補強梁の外側梁部材又は主梁部材の上弦主材及び下弦主材を補強柱に接合して構成し、少なくとも補強梁の内側梁部材の上弦主材及び下弦主材又は主梁部材に連結した内上弦材及び内下弦材を既存梁に植設したアンカーを用いて既存梁に結合するから、前記前記の（１）〜（５）、（９）及び（１０）の効果の他に、次の（１１）の効果を奏する。
（１１）平面視の立体トラスの幅を調整することにより、既存柱の外側面と既存梁の外側面との間の段差に容易に対応することができ、補強梁の外側面と補強柱の外側面とを面一にすることが容易になる。
【００３１】
（ト）請求項７記載の既存建築物の耐震補強方法は、建築物の外周に位置する柱が建築物の主な外周面から突出していない形式の鉄筋コンクリート造又は鉄骨鉄筋コンクリート造の既存建築物の外側に、既存建築物の外周の既存柱及び既存梁に対応する補強柱及び補強梁からなる鋼製の剛性や耐力の高い補強フレームを、その補強柱及び補強梁を既存柱及び既存梁に接近させて構築し、補強フレームの補強柱及び補強梁に対応させて既存柱及び既存梁に多数のアンカーを植設し、補強柱を前記アンカーを用いて既存柱に結合し、かつ補強梁を前記アンカーを用いて既存梁に結合する既存建築物の耐震補強方法において、その補強梁を上弦主材と下弦主材とをラチス材で接合してなる平面トラスで構成し、その成を既存建物の開口部を狭めない範囲内で大きくし、補強梁の少なくとも上弦主材及び下弦主材を既存梁に植設した前記アンカーを使って既存梁に結合するから、前記（１）〜（４）の効果の他に、次の（１２）の効果を奏する。
（１２）建築物の外周に位置する柱が建築物の主な外周面から突出していない形式の鉄筋コンクリート造又は鉄骨鉄筋コンクリート造の既存建築物の補強フレームの補強梁を上弦主材と下弦主材とをラチス材で接合してなる平面トラスで構成し、その成を既存建物の開口部を狭めない範囲内で大きくし、補強梁の少なくと上弦主材及び下弦主材を既存梁に植設した前記アンカーを用いて既存梁に結合するから、補強梁の構成が単純になる。
（チ）請求項８記載の既存建築物の耐震補強方法は、補強フレームの補強梁の上弦主材及び下弦主材のフランジ幅を補強柱のフランジ幅よりも小さくし、補強梁の上弦主材及び下弦主材の外側面と補強柱の外側面とが面一になるように補強梁の上弦主材及び下弦主材を補強柱に接合し、前記接合部の近傍の補強梁の上弦主材及び下弦主材と補強柱との間に水平方向に延びる補強スチフナーを設け、既存建築物の既存柱よりの既存梁の外周面の前記補強スチフナーに対応する個所にそれぞれ水平方向に延びる横溝孔を穿設し、前記補強スチフナーを前記横溝孔内に嵌入させるから、前記（１）〜（４）、（１２）の効果の他に、次の（１３）の効果を奏する。
（１３）補強スチフナーで前記接合部を補強しても、補強フレームの補強柱及び補強梁を既存柱及び既存梁に接近させることができ、補強フレームを既存建築物に容易かつ強固に接合することができる。そのうえ、既存建築物に作用する水平力等を補強スチフナーを介して補強フレームに伝達することができる。
（リ）請求項９記載の既存建築物の耐震補強方法は、補強フレームの補強梁のトラスの既存梁に対面する上弦主材及び下弦主材又は内上弦材及び内下弦材を、その鉛直方向のウェブの一方の側の上縁及び下縁、或いは上縁又は下縁に水平方向に向けてフランジが接合されている鋼材で構成し、それらのウェブのフランジが接合されていない側の面が既存梁の外側面に接近するように配置するから、上記前記の（１）〜（５）、（９）〜（１１）又は（１）〜（４）、（１２）の効果の他に、次の（１４）の効果を奏する。
（１４）補強梁の既存梁に対面する材のウェブを既存梁の外側面に容易且つ確実に接近させることができ、既存梁に植設したアンカーを用いて補強フレームの補強梁を既存梁に容易かつ強固に結合することができる。
【００３２】
（ヌ）請求項１０記載の既存建築物の耐震補強方法は、補強フレームの補強梁のトラスの既存梁に対面する上弦主材及び下弦主材又は内上弦材及び内下弦材を、その鉛直方向のウェブの一方の側の上縁及び下縁、或いは上縁又は下縁に水平方向に向けてフランジが接合されている鋼材で構成し、それらのウェブのフランジが接合されていない側の面が既存梁の外側面に接近するように配置するから、上記（ヘ）の効果の他に、補強梁のウェブを既存梁の外側面に容易且つ確実に接近させることができ、既存梁に植設したアンカーを用いて補強フレームの補強梁を既存梁に容易かつ強固に結合することができる。
【図面の簡単な説明】
【図１】実施例１の耐震補強方法に使う補強フレームの要部の平面図
【図２】図１の補強フレームを図１のＡ−Ａ線で断面した側面図
【図３】実施例１の既存建築物に取付けた補強フレームの要部の正面図
【図４】実施例１のの既存建築物に取付けた補強フレームの要部の平面図
【図５】実施例２の補強フレームの要部の平面図
【図６】実施例２の補強フレームを図１のＡ−Ａ線と同様の線で断面した側面図
【図７】実施例２の既存建築物に取付けた補強フレームの要部の正面図
【図８】実施例３の補強フレームの要部の平面図
【図９】実施例３の既存建築物に取付けた補強フレームの要部の正面図
【図１０】実施例３の既存建築物に取付けた補強フレームをの要部の平面図
【図１１】実施例１〜３によって耐震補強した既存建築物の要部等を示す概略的な正面図
【符号の説明】
１  既存建築物
２  既存柱
３  既存梁
１０，１０Ａ，１０Ｂ  補強フレーム
１１，１１Ａ，１１Ｂ  補強柱
１１ａ，１１Ａａ，１１Ｂａ  フランジ
１１ｂ，１１Ａｂ，１１Ｂｂ    ウェブ
１１ｃ，１１Ａｃ，１１Ｂｃ，１１ｄ，１１Ａｄ  スチフナ
１１Ｂｄ，１１Ｂｆ  スチフナ
１２，１２Ａ，１２Ｂ  補強梁
１２ａ  外側梁部材
１２ｂ  内側梁部材
１２Ａａ  主梁部材
１２ａ１，１２Ａａ１，１２ｂ１，１２Ｂａ  上弦主材
１２ａ２，１２Ａａ２，１２ｂ２，１２Ｂｂ  下弦主材
１２Ａｂ１  内上弦材
１２Ａｂ２  内下弦材
１２ａ３，１２Ａａ３，１２ｂ３，１２Ｂｃ  ラチス材
１２ｃ，１２Ａｃ  斜材
ｂ1，ｂ2 ボルト
ｂｈ1，ｂｈ2 ボルト孔
ｎ  ナット
【図１】
0003772320.tif 000002
【図２】
0003772320.tif 000003
【図３】
0003772320.tif 000004
【図４】
0003772320.tif 000005
【図５】
0003772320.tif 000006
【図６】
0003772320.tif 000007
【図７】
0003772320.tif 000008
【図８】
0003772320.tif 000009
【図９】
0003772320.tif 000010
【図１０】
0003772320.tif 000011
【図１１】
0003772320.tif 000012